(57)【要約】【課題】  実装部品を液晶パネルに実装した後にも検査を可能とする。【解決手段】  液晶表示装置は、液晶パネルＡＡ、フレキシブル基板Ｂ１及びＢ２、並びに、フレキシブル基板Ｂ１を介して液晶パネルＡＡに接続される外部基板Ｃを備える。フレキシブル基板Ｂ１は駆動信号が供給される第１入力端子１０Ａと接続される一方、フレキシブル基板Ｂ２は検査信号が供給される第２入力端子１０Ｂと接続される。また第１入力端子１０Ａと第２入力端子１０Ｂとは同一の形状をしている。【選択図】      図３
2005062354.tif 000002
【特許請求の範囲】
【請求項１】
複数のデータ線、複数の走査線、及び前記データ線と前記走査線との交差に対応する複数の画素が形成された画素領域とを備えた電気光学パネルであって、
通常使用時において画像を前記画素領域に表示するために用いられる第１信号が供給される第１入力端子と、
前記第１入力端子のうち少なくとも一部の端子と同一の形状を有し、検査時に動作を確認するために用いられる第２信号が供給される第２入力端子と
を備えた電気光学パネル。
【請求項２】
前記データ線又は前記走査線を駆動する駆動回路を備え、
前記第１入力端子は前記駆動回路と接続され、
前記第１信号は、前記駆動回路の動作を制御する駆動信号を含む
ことを特徴とする請求項１に記載の電気光学パネル。
【請求項３】
前記第１信号は、前記駆動信号と通常使用時において前記画素に表示すべき階調を示す画像信号とを含むことを特徴とする請求項２に記載の電気光学パネル。
【請求項４】
前記検査時において前記データ線に映像信号を供給する映像信号供給回路を備え、
前記第２入力端子は前記映像信号供給回路に接続され、
前記第２信号は、前記映像信号を含む
ことを特徴とする請求項１乃至３のうちいずれか１項に記載の電気光学パネル。
【請求項５】
前記第２入力端子の配列ピッチは、前記第２入力端子と同一の形状を有する前記第１入力端子の配列ピッチと同一であることを特徴とする請求項１乃至４のうちいずれか１項に記載の電気光学パネル。
【請求項６】
前記第１入力端子は、複数の第１入力端子群に分けられており、
前記第２入力端子は、前記第１入力端子群の間に配置される
ことを特徴とする請求項１乃至５のうちいずれか１項に記載の電気光学パネル。
【請求項７】
前記第１入力端子と前記第２入力端子とは並んで配置されており、前記第１入力端子及び前記第２入力端子は、導電粒子を介して一体に形成された実装部品と接続される
ことを特徴とする請求項１乃至６のうちいずれか１項に記載の電気光学パネル。
【請求項８】
請求項１乃至７のうちいずれか１項に記載の電気光学パネルと、
前記第１信号を生成する信号生成手段と、
を備えたことを特徴とする電気光学装置。
【請求項９】
請求項８に記載した電気光学装置を備えたことを特徴とする電子機器。
【発明の詳細な説明】
【技術分野】
【０００１】
本発明は、電気光学パネル、電気光学装置、及び電子機器に関する。
【背景技術】
【０００２】
表示装置、例えば、電気光学材料として液晶を用いた液晶表示装置は、陰極線管（ＣＲＴ）に代わるディスプレイデバイスとして、各種情報処理機器の表示部や液晶テレビなどに広く用いられている。
【０００３】
液晶表示装置は、液晶パネルと外部回路とを備える。液晶パネルは、マトリクス状に配列した画素電極と、この画素電極に接続されたＴＦＴ（Thin Film Transistor：薄膜トランジスタ）のようなスイッチング素子などが設けられた素子基板と、画素電極に対向する対向電極が形成された対向基板と、これら両基板との間に充填された電気光学材料たる液晶とを備える。画素は、スイッチング素子、画素電極、電気光学材料及び対向電極によって構成され、マトリクス状に配置される。
【０００４】
このような液晶パネルには、走査線を駆動する走査線駆動回路、又はデータ線を駆動するデータ線駆動回路が形成されることもあれば、これらの少なくとも一方が外部回路として構成されることもある。これらの駆動回路を液晶パネルに形成するか否かにかかわらず、液晶パネルの製造においては、表示上の欠陥、例えば、点欠陥や線欠陥を検査するのが一般的である。
【０００５】
検査の工程では、液晶パネルに形成された外部入力端子の全てにプローブを当て、検査信号を供給することが行われてきたが、外部入力端子が高密度に形成されていると、プローブカードの針立てが困難となる。このため、プロービングによる検査には機械的な限界があった。そこで、液晶パネルに検査回路を内蔵し、少数の外部入力端子から検査信号を供給し、表示欠陥の有無を検査する方法が知られている（例えば、特許文献１及び２）。
【０００６】
ところで、従来の液晶パネルは、検査回路を内蔵する場合であっても、外部入力端子にフレキシブル基板等の実装部品を実装する前に検査を行うことが一般的であった。これは、実装部品を実装した後は、液晶パネルにおいて正確に位置決めしてプローブの針立てを行うことが容易ではないからである。
【０００７】
【特許文献１】特許第２６６９３８３号公報
【０００８】
【特許文献２】特許第２７９２６３４号公報
【発明の開示】
【発明が解決しようとする課題】
【０００９】
しかしながら、例えば、エージング試験などで、試験の前後で動作を確認したい場合がある。この場合は、接続ケーブルを電気光学パネルに実装した後に、検査を行う必要があり、上述した従来の液晶パネルでは、検査に手間がかかるといった問題があった。
【００１０】
そこで、本発明は、接続ケーブル等の実装部品を電気光学パネルに実装した後に、検査が可能な電気光学パネル及び電気光学装置を提供することを解決課題とする。
【課題を解決するための手段】
【００１１】
上述した課題を解決するため、本発明に係る電気光学パネルは、複数のデータ線、複数の走査線、及び前記データ線と前記走査線との交差に対応する複数の画素が形成された画素領域とを備えたものであって、通常使用時において画像を前記画素領域に表示するために用いられる第１信号が供給される第１入力端子と、前記第１入力端子のうち少なくとも一部の端子と同一の形状を有し、検査時に動作を確認するために用いられる第２信号が供給される第２入力端子とを備えることを特徴とする。
【００１２】
この発明によれば、第１入力端子のうち少なくとも一部の端子と第２入力端子とを同一の形状としたので、第２入力端子へ容易に実装部品を接続することができる。従って、第１入力端子に実装部品を接続した後にも第２入力端子に第２信号を供給することが可能となる。
【００１３】
また、上述した電気光学パネルにおいて、前記データ線又は前記走査線を駆動する駆動回路を備え、前記第１入力端子は前記駆動回路と接続され、前記第１信号は、前記駆動回路の動作を制御する駆動信号を含むことが好ましい。この場合には、駆動信号を第１入力端子を介して電気光学パネルへ供給することができる。さらに、前記第１信号は、前記駆動信号と通常使用時において前記画素に表示すべき階調を示す画像信号とを含むものであってもよい。
【００１４】
また、上述した電気光学パネルにおいて、前記検査時において前記データ線に映像信号を供給する映像信号供給回路を備え、前記第２入力端子は前記映像信号供給回路に接続され、前記第２信号は、前記映像信号を含むことが好ましい。この場合には、検査時に第２入力端子を介して映像信号を供給し、これをデータ線に供給できるので、点欠陥等を検査することが可能となる。
【００１５】
また、上述した電気光学パネルにおいて、前記第２入力端子の配列ピッチは、前記第２入力端子と同一の形状を有する前記第１入力端子の配列ピッチと同一であることが好ましい。配列ピッチを同一のピッチにすることによって、第１入力端子の実装部品を第２入力端子の実装部品として流用することができる。加えて、実装端子の設計を簡素化することができる。
【００１６】
また、上述した電気光学パネルにおいて、前記第１入力端子は、複数の第１入力端子群に分けられており、前記第２入力端子は、前記第１入力端子群の間に配置されることを特徴とする。第１入力端子群の間に第２入力端子を配置することによって、実装部品間のデットエリアを有効に活用することが可能となる。この結果、第１入力端子群と駆動回路又はデータ線等とを接続する配線のスペースを確保することが可能となる。
【００１７】
また、上述した電気光学パネルにおいて、前記第１入力端子と前記第２入力端子とは並んで配置されており、前記第１入力端子及び前記第２入力端子は、導電粒子を介して一体に形成された実装部品と接続されることが好ましい。一体として形成された実装部品によって第１入力端子及び第２入力端子を接続することによって、第２入力端子を接続するために特別な工程を設けることなく、第２信号を電気光学パネルに供給することが可能となる。
【００１８】
次に、本発明に係る電気光学装置は、上述した電気光学パネルと、前記第１信号を生成する信号生成手段とを備えることを特徴とする。さらに、本発明に係る電子機器は、上述した電気光学装置えたことを特徴とする。このような電子機器としては、液晶プロジェクタ、パーソナルコンピュータ、携帯電話、電子カメラ、ＰＤＡ等が該当する。
【００１９】
このように本発明によれば、接続ケーブル等の実装部品を電気光学パネルに実装する前後で、電気光学パネルの良否を検査することが可能となる。
【発明を実施するための最良の形態】
【００２０】
以下、図面を参照して、本発明に係わる実施形態を説明する。なお、本実施形態では、電気光学材料として液晶を用いた液晶パネルを電気光学パネルの一例とし、液晶パネルを用いた液晶表示装置を電気光学装置の一例として説明する。
【００２１】
＜１．液晶パネルの全体構成＞
まず、第１実施形態に係わる液晶パネルＡＡの全体構成について図１及び図２を参照して説明する。ここで、図１は、液晶パネルＡＡの構成を示す斜視図であり、図２は、図１におけるＺ−Ｚ’線断面図である。
【００２２】
これらの図に示されるように、液晶パネルＡＡは、画素電極６等が形成されたガラスや半導体等の素子基板１５１と、共通電極１５８等が形成されたガラス等の透明な対向基板１５２とを、スペーサ１５３が混入されたシール材１５４によって一定の間隙を保って、互いに電極形成面が対向するように貼り合わせるとともに、この間隙に電気光学材料としての液晶１５５を封入した構造となっている。なお、シール材１５４は、対向基板１５２の基板周辺に沿って形成されるが、液晶１５５を封入するために一部が開口している。このため、液晶１５５の封入後に、その開口部分が封止材１５６によって封止されている。
【００２３】
ここで、素子基板１５１の対向面であって、シール材１５４の外側一辺においては、データ線駆動回路２００及び映像信号供給回路２５０が形成されて、Ｙ方向に延在するデータ線３を駆動する構成となっている。さらに、この一辺には複数の第１入力端子１０Ａと複数の第２入力端子１０Ｂが形成されている。また、この一辺に隣接する一辺には、走査線駆動回路１００が形成されて、Ｘ方向に延在する走査線２をそれぞれ両側から駆動する構成となっている。
【００２４】
第１入力端子１０Ａ及び第２入力端子１０Ｂは電気的に導通を取ることができる電極で各々構成される。第１入力端子１０Ａには各種の駆動信号が供給される一方、第２入力端子１０Ｂには、検査信号としての映像信号等が供給される。
【００２５】
第１入力端子１０Ａ及び第２入力端子１０Ｂは、異方性導電膜（ＡＣＦ：anisotropic conductive film）を介して電気的および機械的に実装部品と接続される。この例の実装部品は、接続ケーブルとしてのフレキシブル基板Ｂ１及びＢ２である。第１入力端子１０Ａ及び第２入力端子１０Ｂは同一の形状をしている。また、第１入力端子１０Ａのピッチと第２入力端子１０Ｂのピッチは、同一であることが好ましい。フレキシブル基板Ｂ１とフレキシブル基板Ｂ２とは端子数が相違するが、第１入力端子１０Ａ及び第２入力端子１０Ｂは同一の形状をしているので、それに形成する端子電極は同一形状とすることができる。さらに、ピッチが同一であれば、多数の配線を有するフレキシブル基板を製造し、これを切断することによって、フレキシブル基板Ｂ１とフレキシブル基板Ｂ２とを一つの実装部材から容易に製造することができる。
【００２６】
第２入力端子１０Ｂは、まず、フレキシブル基板Ｂ１及びＢ２が接続される前においては、検査端子として機能する。この場合には、液晶パネルＡＡの端部に形成された第１入力端子１０Ａ及び第２入力端子１０Ｂをプロービングすれば点欠陥等の検査を行うとことができる。一方、フレキシブル基板を接続した後は、第２入力端子１０Ｂへ映像信号等を供給することによって、検査を行うことができる。従って、フレキシブル基板Ｂ１及びＢ２を接続する前後で液晶パネルＡＡを検査することが可能となる。
【００２７】
対向基板１５２の共通電極１５８は、素子基板１５１との貼合部分における４隅のうち、少なくとも１箇所において設けられた導通材によって、素子基板１５１との電気的導通が図られている。ほかに、対向基板１５２には、液晶パネルＡＡの用途に応じて、例えば、第１に、ストライプ状や、モザイク状、トライアングル状等に配列したカラーフィルタが設けられ、第２に、例えば、クロムやニッケルなどの金属材料や、カーボンやチタンなどをフォトレジストに分散した樹脂ブラックなどのブラックマトリクスが設けられ、第３に、液晶パネルＡＡに光を照射するバックライトが設けられる。特に色光変調の用途の場合には、カラーフィルタは形成されずにブラックマトリクスが対向基板１５２に設けられる。
【００２８】
くわえて、素子基板１５１および対向基板１５２の対向面には、それぞれ所定の方向にラビング処理された配向膜などが設けられる一方、その各背面側には配向方向に応じた偏光板（図示省略）がそれぞれ設けられる。ただし、液晶１５５として、高分子中に微小粒として分散させた高分子分散型液晶を用いれば、前述の配向膜、偏光板等が不要となる結果、光利用効率が高まるので、高輝度化や低消費電力化などの点において有利である。
【００２９】
なお、データ線駆動回路２００等の周辺回路を、素子基板１５１に形成する替わりに、例えば、ＴＡＢ（Tape Automated Bonding）技術を用いてフィルムに実装された駆動用ＩＣチップを、素子基板１５１の所定位置に設けられる異方性導電フィルムを介して電気的および機械的に接続する構成としても良いし、駆動用ＩＣチップ自体を、ＣＯＧ（Chip On Grass）技術を用いて、素子基板１５１の所定位置に異方性導電フィルムを介して電気的および機械的に接続する構成としても良い。
【００３０】
＜２．液晶表示装置の電気的構成＞
図３に、液晶表示装置のブロック図を示す。この図に示すように液晶表示装置は、液晶パネルＡＡ、フレキシブル基板Ｂ１及びＢ２、並びに、フレキシブル基板Ｂ１を介して液晶パネルＡＡに接続される外部基板Ｃを備える。
【００３１】
外部基板Ｃは、タイミング発生回路３００、画像処理回路４００、及び電源回路５００を備える。この液晶表示装置に供給される入力画像データＤは、例えば、３ビットパラレルの形式である。タイミング発生回路３００は、入力画像データＤに同期してＹクロック信号ＹＣＫ、反転Ｙクロック信号ＹＣＫＢ、Ｘクロック信号ＸＣＫ、反転Ｘクロック信号ＸＣＫＢ、Ｙ転送開始パルスＤＹおよびＸ転送開始パルスＤＸを生成する。また、タイミング発生回路３００は、画像処理回路４００を制御する各種のタイミング信号を生成し、これを出力する。
【００３２】
Ｙクロック信号ＹＣＫは、走査線２を選択する期間を特定し、反転Ｙクロック信号ＹＣＫＢはＹクロック信号ＹＣＫの論理レベルを反転したものである。Ｘクロック信号ＸＣＫは、データ線３を選択する期間を特定し、反転Ｘクロック信号ＸＣＫＢはＸクロック信号ＸＣＫの論理レベルを反転したものである。
【００３３】
画像処理回路４００は、入力画像データＤに、液晶パネルＡＡの光透過特性を考慮したガンマ補正等を施した後、ＲＧＢ各色の画像データをＤ／Ａ変換して、画像信号４０Ｒ、４０Ｇ、４０Ｂを生成する。
【００３４】
電源回路５００は、タイミング発生回路３００および画像処理回路４００に電位電源を供給する他、走査線駆動回路１００及びデータ線駆動回路２００の電源電圧を生成する。このように生成された各種の信号及び電源電圧は、フレキシブル基板Ｂを介して液晶パネルＡＡに供給される。
【００３５】
次に、フレキシブル基板Ｂ２は、検査用の検査基板に接続される。検査基板には検査回路が設けられており、そこから映像信号等の検査信号が供給される。なお、検査回路を上述した外部基板Ｃに配置してフレキシブル基板Ｂ２を外部基板Ｃに接続してもよい。
【００３６】
次に、液晶パネルＡＡは、その素子基板上に、第１入力端子１０Ａ及び第２入力端子１０Ｂ、画像表示領域Ａ、走査線駆動回路１００、データ線駆動回路２００及び映像信号供給回路２５０を備える。走査線駆動回路１００は、Ｙシフトレジスタ及びレベルシフタ等を備える。Ｙ転送開始パルスＤＹ、Ｙクロック信号ＹＣＫおよび反転Ｙクロック信号ＹＣＫＢはＹシフトレジスタに供給される。Ｙシフトレジスタは、Ｙクロック信号ＹＣＫおよび反転Ｙクロック信号ＹＣＫＢに同期して、Ｙ転送開始パルスＤＹを順次転送して信号を順次出力する。レベルシフタは、信号振幅を大振幅に変換し、走査信号Ｙ１、Ｙ２、…、Ｙｍとして各走査線２に出力する。また、Ｙシフトレジスタの最終段からＹ転送開始パルスＤＹがＹエンドパルスＹＥＰとして出力する。ＹエンドパルスＹＥＰを、Ｙシフトレジスタの検査のために用いてもよい。
【００３７】
データ線駆動回路２００は、画像信号４０Ｒ、４０Ｇ、４０Ｂを所定のタイミングでサンプリングしてデータ線信号Ｘ１〜Ｘｎを生成し、映像信号供給回路２５０を介して各データ線３に供給する。通常使用時において、映像信号供給回路２５０はデータ線駆動回路の出力信号をそのまま各データ線３に出力する。一方、検査時においては、第２入力端子１０Ｂから供給される映像信号をデータ線３に出力する。
【００３８】
データ線駆動回路２００は、Ｘシフトレジスタ、レベルシフタ、及びサンプリング回路を備える。Ｘシフトレジスタは、Ｘ転送開始パルスＤＸをＸクロック信号ＸＣＫおよび反転Ｘクロック信号ＸＣＫＢに同期して順次転送して各出力信号を生成する。レベルシフタは、Ｘシフトレジスタの各出力信号のレベルを変換して、各サンプリング信号ＳＲ１〜ＳＲｎを順次生成する。サンプリング回路は、ｎ個のスイッチＳＷ１〜ＳＷｎを備える。各スイッチＳＷ１〜ＳＷｎは、ＴＦＴによって構成されている。そして、ゲートに供給される各サンプリング信号ＳＲ１〜ＳＲｎが順次アクティブになると、各スイッチＳＷ１〜ＳＷｎが順次オン状態となる。すると、画像信号供給線Ｌ１〜Ｌ３を介して供給される画像信号４０Ｒ、４０Ｇ、４０Ｂがサンプリングされる。そして、サンプリング結果であるデータ線信号Ｘ１〜Ｘｎがデータ線３に順次供給される。なお、シフトレジスタの最終段からはＸ転送開始パルスＤＸがＸエンドパルスＸＥＰとして出力される。なお、ＸエンドパルスＸＥＰを、Ｘシフトレジスタの検査のために用いてもよい。
【００３９】
次に、画像表示領域Ａには、図３に示されるように、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極（後述する）と、これら両電極間に挟持された液晶とによって構成される。この結果、走査線２とデータ線３との各交差に対応して、画素はマトリクス状に配列されることとなる。
【００４０】
また、ＴＦＴ５０のゲートが接続される各走査線２には、走査信号Ｙ１、Ｙ２、…、Ｙｍが、パルス的に線順次で印加されるようになっている。このため、ある走査線２に走査信号が供給されると、当該走査線に接続されるＴＦＴ５０がオンするので、データ線３から所定のタイミングで供給されるデータ線信号Ｘ１、Ｘ２、…、Ｘｎは、対応する画素に順番に書き込まれた後、所定の期間保持されることとなる。
【００４１】
各画素に印加される電位レベルに応じて液晶分子の配向や秩序が変化するので、光変調による階調表示が可能となる。例えば、液晶を通過する光量は、ノーマリーホワイトモードであれば、印加電位が高くなるにつれて制限される一方、ノーマリーブラックモードであれば、印加電位が高くなるにつれて緩和されるので、液晶表示装置全体では、画像信号に応じたコントラストを持つ光が各画素毎に出射される。このため、所定の表示が可能となる。
【００４２】
以上、説明したように本実施形態によれば、液晶パネルＡＡの端部に同一形状の第１入力端子１０Ａと第２入力端子１０Ｂとを形成したので、フレキシブル基板Ｂ１及びＢ２の端子電極は同一形状とすることができ、容易に転用することが可能となる。さらに、ピッチが同一であれば、一つのフレキシブル基板を製造し、これを切断することによって、フレキシブル基板Ｂ１とフレキシブル基板Ｂ２とを容易に製造することが可能となる。加えて、フレキシブル基板Ｂ１及びＢ２を実装する前後で液晶パネルＡＡを検査することが可能となる。
【００４３】
＜３．応用例＞
＜３−１．第１入力端子及び第２入力端子の構成例＞
（１）上述した実施形態においては、第１入力端子１０Ａは、全て同一の形状であり、同一のピッチで配置されていたが、本発明はこれに限定されるものではない。図４に第１入力端子及び第２入力端子の他の構成例を示す。この例では、第１入力端子１０Ａとして、形状の異なる端子１１及び１２が形成されている。端子１１間の第１ピッチＰＴ１は端子１２間の第２ピッチＰＴ２と相違する。一方、第２入力端子１０Ｂは端子１２と同一の形状であり、そのピッチは端子１２の第２ピッチＰＴ２と同一である。この場合にも実装部品の転用が容易となる。
（２）また、上述した実施形態において第１入力端子１０Ａは連続した１個の端子群として構成されていたが、これを複数の端子群に分割してもよい。例えば、図５に示すように第１入力端子１０Ａを２つの端子群Ｔ１及びＴ２に配置し、これらの間に第２入力端子１０Ｂを配置してもよい。この場合、端子群Ｔ１及びＴ２を介して駆動信号が駆動回路へ供給される。また、画像信号がデータ線３へ直接供給されることもある。従って、図６に示すように、端子群Ｔ１及びＴ２の間に第２入力端子１０Ｂを配置することによって、実装部品間のデットエリアを有効に活用することが可能となる。この結果、第１入力端子１０Ａと駆動回路又はデータ線３等とを接続する配線のスペースを確保することが可能となる。
（３）上述した実施形態においては、第１入力端子１０Ａはフレキシブル基板Ｂ１と接続される一方、第２入力端子１０Ｂはフレキシブル基板Ｂ２と接続されていたが、本発明はこれに限定されるものではない。図７に第１入力端子及び第２入力端子の他の構成例を示す。この例では、第１入力端子１０Ａと第２入力端子１０Ｂとが一体として形成されたフレキシブル基板Ｂ３と接続されている。この場合には、第２入力端子１０Ｂを接続するために特別な工程を設けることなく、映像信号等の検査信号を液晶パネルに供給することが可能となる。
【００４４】
＜３−２：電気光学装置の他の例＞
また、上述した実施の形態にあっては、画素のスイッチング素子を、ＴＦＴで代表される３端子素子として説明したが、ダイオード等の２端子素子で構成しても良い。ただし、画素のスイッチング素子として２端子素子を用いる場合には、走査線２を一方の基板に形成し、データ線３を他方の基板に形成するとともに、２端子素子を、走査線２またはデータ線３のいずれか一方と、画素電極との間に形成する必要がある。この場合、画素は、走査線２とデータ線３との間に直列接続された二端子素子と、液晶とから構成されることとなる。
【００４５】
また、本発明は、アクティブマトリクス型液晶表示装置として説明したが、これに限られず、ＳＴＮ（Super Twisted Nematic）液晶などを用いたパッシブ型にも適用可能である。さらに、電気光学材料としては、液晶のほかに、エレクトロルミネッセンス素子などを用いて、その電気光学効果により表示を行う表示装置にも適用可能である。すなわち、本発明は、上述した液晶装置と類似の構成を有するすべての電気光学装置に適用可能である。
【００４６】
＜３−３：電子機器＞
次に、上述した液晶表示装置を各種の電子機器に適用される場合について説明する。
＜３−３−１：プロジェクタ＞
まず、この液晶装置をライトバルブとして用いたプロジェクタについて説明する。図８は、プロジェクタの構成例を示す平面図である。
【００４７】
この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００４８】
液晶パネル１１１０Ｒ、１１１０Ｂおよび１１１０Ｇの構成は、上述した液晶パネルＡＡと同等であり、画像信号処理回路（図示省略）から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００４９】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００５０】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００５１】
＜３−３−２：モバイル型コンピュータ＞
次に、この液晶パネルＡＡを、モバイル型のパーソナルコンピュータに適用した例について説明する。図９は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【００５２】
＜３−３−３：携帯電話＞
さらに、この液晶パネルＡＡを、携帯電話に適用した例について説明する。図１０は、この携帯電話の構成を示す斜視図である。図において、携帯電話１３００は、複数の操作ボタン１３０２とともに、反射型の液晶パネル１００５を備えるものである。この反射型の液晶パネル１００５にあっては、必要に応じてその前面にフロントライトが設けられる。
【００５３】
なお、図８〜図１０を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。パネル板は、電気光学材料として液晶の替わりに有機ＬＥＤを用いたもの、プラズマを用いたもの、無機エレクトロルミネッセンス素子を用いたものであってもよい。さらに、電子ペーパー等の電気泳動パネルにも適用することができる。
【図面の簡単な説明】
【００５４】
【図１】本発明の一実施形態に係る液晶パネルＡＡの構成を示す斜視図である。
【図２】図２は、図１におけるＺ−Ｚ’線断面図である。
【図３】液晶表示装置の電気的構成を示すブロック図である。
【図４】第１入力端子及び第２入力端子の他の構成例を示す平面図である。
【図５】第１入力端子及び第２入力端子の他の構成例を示す平面図である。
【図６】端子群Ｔ１及びＴ２に係る配線スペースを示す概念図である。
【図７】第１入力端子及び第２入力端子の他の構成例を示す平面図である。
【図８】同液晶表示装置を適用した電子機器の一例たるビデオプロジェクタの断面図である。
【図９】同液晶表示装置を適用した電子機器の一例たるパーソナルコンピュータの構成を示す斜視図である。
【図１０】同液晶表示装置を適用した電子機器の一例たる携帯電話の構成を示す斜視図である。
【符号の説明】
【００５５】
２…走査線、３…データ線、１００…走査線駆動回路、２００…データ線駆動回路、２５０…映像信号供給回路、１０Ａ…第１入力端子、１０Ｂ…第２入力端子、Ｂ１，Ｂ２，Ｂ３…フレキシブル基板（実装部品）、ＡＡ…電気光学パネル、Ｃ…外部基板。
【図１】
2005062354.tif 000003
【図２】
2005062354.tif 000004
【図３】
2005062354.tif 000005
【図４】
2005062354.tif 000006
【図５】
2005062354.tif 000007
【図６】
2005062354.tif 000008
【図７】
2005062354.tif 000009
【図８】
2005062354.tif 000010
【図９】
2005062354.tif 000011
【図１０】
2005062354.tif 000012